(57)【特許請求の範囲】
【請求項１】
横型水中モータの回転軸にプロペラを嵌着し該プロペラの外周をガイドリングで囲繞してなる攪拌機を汚水処理槽内における支持体に支承させ、ガイドリングの口周部から前方へ導延せられ上下に分岐して上向き吐出口と下向き吐出口を開口させた二又状の吐出ベンドを装備し、該吐出ベンドの側壁に枢支された横軸を支点として上下に回動自在のフラップ弁をプロペラの前方に内装させ、吐出ベンドの外側に横軸の操作レバーを付設し該レバーの操作によって内装フラップ弁の保持角度が任意に調節されるよう構成したことを特徴とする、汚水処理槽内の攪拌装置。
【発明の詳細な説明】
【０００１】
【発明の技術分野】
本発明は、汚水処理槽内の攪拌装置に関するものである。
【０００２】
【従来技術とその問題点】
汚水処理を行う反応槽では、攪拌処理工程においてスカムが発生し、水面上に浮上して層を形成する。そしてスカムの層に担体が補足されて攪拌が阻害されるため、汚水の処理効率は低下することになる。
【０００３】
その対策として従来は、図４に例示するようなシャワー式の消泡装置Ｓ１によりスカムを除去し、或いは図５に例示するようフロートで浮設させたポンプＳ２によってスカムを吸い取るなど、攪拌装置の他に専用の機器を別途設置する必要があり、そのための設置スペースを確保しなければならず、また、イニシャルコストおよびランニングコストを押し上げる要因にもなるのである。
【０００４】
【発明の目的】
本発明の目的は、スカム除去用の機器を別途設置することを要せず、攪拌装置自体にスカム堆積防止機能を有しており、担体を効率よく循環させて有効な汚水処理がローコストに行われる、汚水処理槽内の攪拌装置を提供することにある。
【０００５】
【発明の構成】
本発明に係る汚水処理槽内の攪拌装置では、横型水中モータの回転軸にプロペラを嵌着し該プロペラの外周をガイドリングで囲繞してなる攪拌機を汚水処理槽内における支持体に支承させ、前記ガイドリングの口周部から前方へ導延せられ上下に分岐して上向き吐出口と下向き吐出口を開口させた二又状の吐出ベンドを装備し、該吐出ベンドの側壁に枢支された横軸を支点として上下に回動自在のフラップ弁をプロペラの前方に内装させ、吐出ベンドの外側に横軸の操作レバーを付設し該レバーの操作によって内装フラップ弁の保持角度が任意に調節されるよう構成した。
【０００６】
【作用】
操作レバーの操作により内装フラップ弁を上方へ回動させて上向き吐出口への流路を閉止すれば、下向き吐出口への流路のみが開かれた状態となるので、この状態により水中モータを駆動させると、プロペラの回動により下向き水流が発生して汚水処理槽内を攪拌する。内装フラップ弁を下方へ回動させて下向き吐出口への流路を閉止すれば、上向き吐出口への流路のみが開かれた状態となり、上向き水流が発生し水面上のスカム拡散作用を生じて担体が循環し易い状態となる。そしてスカムを拡散させたのち再び内装フラップ弁を上方へ回動させて上向き吐出口への流路を閉止すれば、下向き吐出口への流路のみが開かれた状態となり下向き水流の発生で汚水処理槽内が攪拌される。また、上下両出口への流路が半々に開かれた状態となるよう内装フラップ弁の保持角度を調整しておけば、上向き水流と下向き水流が同時に発生して水面上のスカムを拡散させながら汚水処理槽内が攪拌されることになる。このように上向き水流と下向き水流の交互発生または同時発生により、担体を効率よく循環させて有効な汚水処理が行われることになる。
【０００７】
【実施例】
以下実施例の図１ないし図３により説明をする。
【０００８】
１は汚水処理槽内に立設されたガイドパイプ等の支持体、２は横型水中モータ３の回転軸４にプロペラ５を嵌着し該プロペラ５の外周をガイドリング６で囲繞してなる攪拌機であり、例えば横型水中モータ３の後方に付設された係合子７により支持体１と係合して支承され、吊下げチェーン８の操作によって昇降自在に構成される。９はガイドリング６の口周部から前方へ導延して装備された吐出ベンドであり、導延部を上下に分岐して上向き吐出口１０ｂと下向き吐出口１０ａを有する二又状に形成されている。１１はプロペラ５の前方に内装されたフラップ弁であり、吐出ベンド９の側壁に枢支された横軸１２を支点として上下に回動自在であり、吐出ベンド９の外側に付設された操作レバー（図示せず）の操作によって保持角度が任意に調節されるよう構成されている。内装フラップ弁１１の保持角度を調節するについては、水面上からの遠隔操作によって操作レバーの操作を行わせもよく、或いは吊下げチェーン８の操作で攪拌機２を一旦水面上へ引き上げてから手動により行わせてもよい。
【０００９】
上向き吐出口１０ａへの流路が閉止され、下向き吐出口１０ａへの流路のみが開かれるよう、内装フラップ弁１１を上方へ回動させた図１の状態において横型水中モータ３を駆動させると、プロペラ５の回動により下向き水流が発生して汚水処理槽内を攪拌する。次に、下向き吐出口１０ａへの流路が閉止され、上向き吐出口１０ｂへの流路のみが開かれるよう、内装フラップ弁１１を下方へ回動させた図２の状態では、上向き水流が発生し水面上のスカム拡散作用を生じて担体が循環し易い状態となる。そしてスカムを拡散させたのち再び上向き吐出口１０ｂへの流路を閉止させ、下向き吐出口１０ａへの流路のみが開かれるよう、内装フラップ弁１１を上方へ回動させた図１の状態とすれば、下向き水流の発生により汚水処理槽内が攪拌される。また、両吐出口１０ａ、１０ｂへの流路が半々に開かれた状態となるよう内装フラップ弁１１を水平に保持させておけば、上向き水流と下向き水流が同時に発生することになるが、上向き吐出口１０ｂへの流路よりも下向き吐出口１０ａへの流路の方が広く形式されるようフラップ弁１１の保持角度を調整した図３の状態とすることが望ましい。このように上向き水流と下向き水流の交互発生または同時発生により、担体を効率よく循環させて有効な汚水処理が行われることになる。
【００１０】
【発明の効果】
本発明汚水処理槽内の攪拌装置によれば、攪拌装置自体にスカム堆積防止機能を有しており、担体を効率よく循環させて有効な汚水処理が行われるため、従来のようなスカム除去用の機器を別途設置する必要がなく、イニシャルコストおよびランニングコストを著しく低減させ得るという利点がある。
【図面の簡単な説明】
【図１】  本発明に係る汚水処理槽内の攪拌装置の操作態様を例示した説明図であって、上向き吐出口への流路が閉止され、下向き吐出口への流路のみが開かれた状態を示す。
【図２】  本発明に係る汚水処理槽内の攪拌装置の設置態様を例示した説明図であって、下向き吐出口への流路が閉止され、上向き吐出口への流路のみが開かれた状態を示す。
【図３】  本発明に係る汚水処理槽内の攪拌装置の設置態様を例示した説明図であって、上下両吐出口への流路が開かれている状態を示す。
【図４】  従来における汚水処理槽内の攪拌装置の設置態様を例示した説明図であって、シャワー式の消泡装置を併設させた事例を示す。
【図５】  従来における汚水処理槽内の攪拌装置の設置態様を例示した説明図であって、浮設式ポンプによるスカム吸引装置を併設させた事例を示す。
【符号の説明】
１        支持体
２        攪拌機
３        横型水中モータ
４        回転軸
５        プロペラ
６        ガイドリング
９        吐出ベンド
１０ａ    下向き吐出口
１０ｂ    上向き吐出口
１１      フラップ弁
１２      横軸
【図１】
0004073665.tif 000002
【図２】
0004073665.tif 000003
【図３】
0004073665.tif 000004
【図４】
0004073665.tif 000005
【図５】
0004073665.tif 000006